(57)【特許請求の範囲】
【請求項１】
２本の棒状材の各連結側端同士を、任意の長さに亘って束ねた状態で、この束ね箇所を締結合体させる為のものであって、
頂面が開放された箱状をなして、一方の対向側壁１ａ，１ａに前記束ね箇所を嵌め込ませる嵌込部５を夫々設け、底面１ｃにボルト孔６を設けた棒受部材１と、
頂面が開放された箱状をなして、一方の対向側壁２ａ，２ａに、開口ａの幅が棒状材Ｂの径より僅かに広くその奧部に２本の棒状材Ｂを横並びに束ねて納め得る拡幅箇所ｂを備えた締結用切欠部８を夫々設け、底面２ｃにはボルト孔１０が設けられて、前記棒受部材１の内側に重合させ得る大きさの締付部材２と、
前記重合状態で、前記両ボルト孔６，１０に内側から挿通される締結ボルト３及びその突出端に螺着したナット４とを備え、
且つ、前記締付部材２の他方の対向側壁２ｂ，２ｂには、前記ナット４の締付けに伴って、前記棒受部材１の他方の対向側壁１ｂ，１ｂと干渉する突部９を設けたことを特徴とする棒状材の連結用金具。
【請求項２】
前記拡幅箇所ｂの両側端を横向きのＶ形に形成して、棒状材Ｂの締付箇所ｃとしたことを特徴とする請求項１記載の棒状材の連結用金具。
【請求項３】
前記嵌込部５の底部中央に、略山形の突起５ａを設けたことを特徴とする請求項１又は２記載の棒状材の連結用金具。
【請求項４】
前記締付部材２は、前記他方の対向側壁２ｂを省き、前記突部９は、前記一方の対向側壁２ａの両側端部に設けたことを特徴とする請求項１乃至３のいずれかに記載の棒状材の連結用金具。
【発明の詳細な説明】
【０００１】
【発明の属する技術分野】
本発明は、例えば、コンクリート打設用型枠の支保工に用いる、対置した型枠パネルの間隔保持用の“セパレーター”と呼ばれる鉄棒の長さを、型枠の形態に応じて調節出来る様にする為に、２本に分割したセパレーターを、任意の継ぎ足し長さに連結する等の目的で用いる、棒状材の連結用金具に関する。
【０００２】
【従来の技術】
図１１に、その厚さが、一端から他端に向けて漸増（減）する壁体を打設する型枠の組立状態を、部分的な上面視図として示した。
この場合、打設空間を形成させる２枚の型枠パネル５０，５０は、並列状にではなくて、その一方を、他方に対して斜め向きに対置している。
その為、両型枠パネル５０，５０間に点在状に跨設して、コンクリートの充填圧に耐えさせる為の多数本のセパレーター５１は、図から理解される様に、様々な長さのものが必要になる。
【０００３】
そこで従来は、セパレーター５１の長さの半分より幾分長い継足用セパレーター５１ａを多数本用意して置き、２本の継足用セパレーター５１ａを、図１１に示した様に、所望の任意の継ぎ足し長さになる様に各連結側端同士を束ね、この束ね箇所を、図１２に示した連結用金具６０を介して連結させる方法が採られて来た。
図中の５２は、両型枠パネル５０，５０の間隔保持用のカップである。
【０００４】
この従来の連結用金具６０の構造を説明すると、上記の束ね箇所に外嵌させ得る形状の扁平な短筒体を本体６１とし、その扁平な頂面中央に縦向きに溶接した長ナット６２に、その長さより短い締結ボルト６３を螺じ込んでいる。
この締結ボルト６３の下端には、楔６４を、回動自在に連結するか又は落とし込むと共に、本体６１の頂面中央には、楔６４の先端部を挿通させる貫通孔６５を設けている。
【０００５】
連結用金具６０の使い方は、締結ボルト６３を螺じ上げた状態で、本体６１の両端から、２本の継足用セパレーター５１ａ，５１ａの連結側端を夫々差し込んで束ね、この束ね箇所の長さを加減することにより、所望の継ぎ足し長さのセパレーター５１にする。
然る後、締結ボルト６３を螺じ込むと、楔６４の先端が、図１３に示した様に、束ねた２本の継足用セパレーター５１ａの間に割り込んで、楔打ち効果が生ずる。
これによって、２本の継足用セパレーター５１ａは、連結用金具６０を介して一体に連結される。
【０００６】
【発明が解決しようとする課題】
ところが、この従来の連結用金具６０には、以下に列挙した如き、改善すべき多くの難点があった。
（ａ）  楔止めによる連結方法では、十分な連結強度を得難い。
（ｂ）  本体６１に長ナット６２を溶接する為の、溶接技術を要する。
（ｃ）  溶接加工は、生産性が低く、作業環境が悪く、接続強度にバラ付きが生じ易い。
（ｄ）  本体６１の両端に継足用セパレーター５１ａを夫々差し込む作業は、狭い型枠内では行い難く、非能率である。
（ｅ）  楔を組込むことにより、又、連結強度の不足を補う為に、連結用金具６０の外形が大きくならざるを得ない。
【０００７】
そこで、本発明の主たる目的は、コンクリート打設型枠の支保工に使うセパレーター同士を連結させる為の、十分な連結強度を備えると共に、溶接によらずに、生産性と均質性に優れたプレス成形や鍛造等の塑性加工によって能率的に量産出来、然も、施工現場での連結作業も行い易い棒状材の連結用金具を提供するにある。
【０００８】
【課題を解決するための手段】
上記の目的を達成する為の、本発明による棒状材の連結用金具は、
２本の棒状材の各連結側端同士を、任意の長さに亘って束ねた状態で、この束ね箇所を締結合体させる為のものであって、
頂面が開放された箱状をなして、一方の対向側壁１ａ，１ａに前記束ね箇所を嵌め込ませる嵌込部５を夫々設け、底面１ｃにボルト孔６を設けた棒受部材１と、
頂面が開放された箱状をなして、一方の対向側壁２ａ，２ａに、開口ａの幅が棒状材Ｂの径より僅かに広くその奧部に２本の棒状材Ｂを横並びに束ねて納め得る拡幅箇所ｂを備えた締結用切欠部８を夫々設け、底面２ｃにはボルト孔１０が設けられて、前記棒受部材１の内側に重合させ得る大きさの締付部材２と、
前記重合状態で、前記両ボルト孔６，１０に内側から挿通される締結ボルト３及びその突出端に螺着したナット４とを備え、
且つ、前記締付部材２の他方の対向側壁２ｂ，２ｂには、前記ナット４の締付けに伴って、前記棒受部材１の他方の対向側壁１ｂと干渉する突部９を夫々設けたことを特徴とする。
そして、拡幅箇所ｂの両側端を横向きのＶ形に形成して、棒状材Ｂの締付箇所ｃとするとよい。
又、嵌込部５の底部中央に、略山形の突起５ａを設けるとよい。
或いは、締付部材２は、他方の対向側壁２ｂを省き、突部９は、一方の対向側壁２ａの両側端部に設けてもよい。
【０００９】
【発明の実施の形態】
以下に、本発明の一実施例を、図１〜図１０を参照しながら説明する。
この実施例の棒状材Ｂ（図１参照）は、コンクリート構造物の壁体等を打設する型枠を構築する時に、対置した２枚の型枠パネルの対向間隔を固定させる役割を果たす、セパレーターとして用いるものである。
【００１０】
極く一般的なセパレーターの形態は、図１１を参照すれば理解される様に、型枠の厚み寸法より長い鉄棒の両端に、型枠締結金具（図示略）を螺着させる雄ねじを切り、その内側箇所に、型枠パネルの対向間隔保持用のカップ５２を組付けている。
棒状材Ｂは、このセパレーターを、長手方向の真ん中で２本に分断した如き形態を備えている。
【００１１】
図１，図２に示した様に、この実施例の連結用金具Ａは、２本の棒状材Ｂを、夫々の連結側端同士を任意の長さに亘って束ねた状態で、この“束ね箇所”を連結させる役割を果たすものである。
【００１２】
金属製の連結用金具Ａの概略の構成は、図１，図２に示した様に、頂面が開放された箱形の棒受部材１と、同じく頂面が開放された箱形をなして、棒受部材１の内側に嵌め込み得る大きさの締付部材２と、この嵌合状態にある両部材１及び２の各底面を、その内側から外側に向けて貫通する締結ボルト３と、その貫通端に螺着したナット４とから成る。
【００１３】
これ等の構成部材の細部の構造に就いて、以下に順次説明する。
箱形の棒受部材１は、図３〜図５に示した様に、その一方の対向側壁１ａ，１ａに、上記の束ね箇所を、完全に嵌め込ませ得る形状の嵌込部５を、夫々切欠状に設けている。
この嵌込部５の底面中央部には、上記の束ね箇所の外周りに生じた略のＶ形の凹み形状に対応した山形の突起５ａを設けている。
【００１４】
又、棒受部材１の底面１ｃの真ん中には、締結ボルト３を挿通させるボルト孔６を設けている。
更に、底面１ｃの外側面には、ボルト孔６の孔縁部を巡る環状突部７を設けて、ナット４の受座としている。
そして、他方の対向側壁１ｂの上縁には、補強用の厚肉部１ｄを設けている。
【００１５】
次に、図６〜図８に示した、同じく箱形の締付部材２は、図１に示した様に棒受部材１の内側に嵌め込んだ状態で、対向側壁１ａ，１ａと対面する一方の対向側壁２ａ，２ａに、２本の棒状材Ｂを１本づつ順次押し込ませる、締結用切欠部８を夫々設けている。
【００１６】
この締結用切欠部８は、図６に示した様に、対向側壁２ａの上縁から略Ｖ字形の切込状に形成されており、その開口ａの幅は、棒状材Ｂの径より僅かに広く、その奧部には、２本の棒状材Ｂ，Ｂを横並びに束ねて納め得る拡幅箇所ｂを形成させている。
そして、拡幅箇所ｂの両側部分は、夫々横向きのＶ字形に形成して、棒状材Ｂの締付箇所ｃとしている。
【００１７】
締付部材２の他方の対向側壁２ｂ，２ｂの各上縁部には、締付部材２を棒受部材１の内側に嵌め込んで行くに連れて、棒受部材１の他方の対向側壁１ｂ，１ｂの内壁面と干渉する、所定の突出度合いの突部９を設けている
この実施例の突部９は、対向側壁２ｂの上縁部を外側向きに屈折させる方
法で形成させている。
締付部材２の底面２ｃの真ん中には、締結ボルト３を通すボルト孔１０を設けている。３ａは締結ボルト３の頭部である。
【００１８】
次に、２本の棒状材Ｂ，Ｂを、連結用金具Ａを使って、所望の任意の長さに継ぎ足す方法に就いて、図９，図１０を参照しながら説明する。
連結用金具Ａの出荷時には、図９に示した様に、棒受部材１と、その内空部に半ば嵌め込んだ締付部材２とを、締結ボルト３及びナット４により合体させている。
【００１９】
そこで、使用時には、連結すべき２本の棒状材Ｂ，Ｂを、所要の継ぎ足し長さになる様に、夫々の連結側端同士を束ねて握ったうえ、その１本づつを、図９に示した様に、締結用切欠部８内に順次押し込む。
すると、押し込まれた２本の棒状材Ｂ，Ｂは、嵌込部５に設けた山形の突起５ａに誘導されて、図示の様に、拡幅箇所ｂに自づから横並びされた状態で収まる。
【００２０】
この時、締付部材２は、図９に示した様に、その対向側壁２ｂの上縁部に設けた突部９が、棒受部材１の対向側壁１ｂの上縁部に引っ掛かった状態にある。
そこで、締付部材２を、棒受部材１の内空部に完全に引き込むべく、ナット４をスパナ等を使って締付けて行くと、締付部材２は、その強い締付力によって強制的に棒受部材１の内空部に引き込まれることになる。
尚、ナット４の締付時には、締付け易い様に、連結用金具Ａを棒状材Ｂと共に上下反転させてもよい。
【００２１】
それに伴って、 締付部材２の各対向側壁２ｂは、その上縁に外向きに突出し突部９が棒受部材１の補強された対向側壁１ｂと干渉することによって、内側に向けて夫々押しやられる。
その為、締結用切欠部８は、図１０に示した様に、その横幅を強制的に狭められる。
【００２２】
それに連れて、図１０に矢示した様に、拡幅箇所ｂの横幅も狭められると共に、その左右両側の締付箇所ｃは、そのＶ形の頂角を狭められて行く。
その為、拡幅箇所ｂに収まっている２本の棒状材Ｂ，Ｂの束ね箇所は、左右のＶ形をした締付箇所ｃ，ｃの間で強力に挟み付けられたうえに、更に、各締付箇所ｃのＶ形の両縁部間でも強力にくわえ込まれた状態になる。
【００２３】
かくして、連結用金具Ａは、冒頭に記した従来の連結用金具６０によるよりも、はるかに強い締付力で、２本の棒状材Ｂ，Ｂの束ね箇所を一体に連結させてくれる。
【００２４】
尚、締付部材２は、箱形ではなくて、その他方の対向側壁２ｂ，２ ｂを、少なくとも部分的に省いたコ字形金具状に形成してもよい。その場合には、突部９は、一方の対向側壁２ａの両側端部に、外向きに突設することになる。
【００２５】
【発明の効果】
以上の説明によって明らかな様に、本発明による棒状材の連結用金具は、図１２に示した従来の連結用金具に較べて、以下に列挙した如き、実用上の優れた効果を奏する。
（ａ）  その締結機構からして、はるかに大きい連結強度が得られる。
（ｂ）  生産性が低く、作業環境が悪く、接合強度にバラ付きが生じ易い、溶接箇所を設けなくて済む。
（ｃ） 生産性と均質性に優れた塑性加工によって、能率的に量産出来る。
（ｄ）  ２本の棒状材の連結側端を、夫々連結用金具に嵌め込む作業は、従来の様に、両端から差し込むのではなくて、上方から落とし込むので極めて能率的に行える。
（ｅ）  又、狭い型枠内でも容易に作業出来る。
（ｆ）  締結用の楔を組込まなくて済むし、締結力が強力なので、その分、連結用金具の外形をコンパクト化出来る。
【図面の簡単な説明】
【図１】  本発明の一実施例を示すもので、２本の棒状材を連結用金具を介して連結させた状態の部分斜視図である。
【図２】同上、図１の裏面側視図である。
【図３】同上、棒受部材の縦断面図である。
【図４】同上、棒受部材の平面図である。
【図５】同上、棒受部材を底面側から見た斜視図である。
【図６】同上、締付部材の縦断面図である。
【図７】同上、締付部材の平面図である。
【図８】同上、締付部材を底面側から見た斜視図である。
【図９】同上、締付部材に２本の棒状材の束ね箇所を嵌め込み終えた状態を示す、連結用金具の縦断面図である。
【図１０】同上、ナットを完全に締付けて連結し終えた状態での、連結用金具の縦断面図である。
【図１１】その厚さが、一端から他端に向けて漸増（減）するコンクリート壁の、打設用型枠にセパレーターを組付けた状態を示す部分平面図である。
【図１２】従来例を示すもので、連結用金具の斜視図である。
【図１３】同上、連結作動の説明図である。
【符号の説明】
Ａ  連結用金具
Ｂ  棒状材
１  棒受部材
２  締付部材
１ａ，２ａ  一方の対向側壁
１ｂ，２ｂ  他方の対向側壁
１ｃ，２ｃ  底面
１ｄ  厚肉部
３  締結ボルト
３ａ  頭部
４  ナット
５  嵌込部
５ａ  突起
６，１０  ボルト孔
７  環状突部
８  締結用切欠部
９  突部
ａ  開口
ｂ  拡幅箇所
ｃ  締付箇所
５０  型枠パネル
５１  セパレーター
５１ａ  継足用セパレーター
５２  カップ
６０  連結用金具
６１  本体
６２  長ナット
６３  締結ボルト
６４  楔
６５  貫通孔
【図１】
0003860905.tif 000002
【図２】
0003860905.tif 000003
【図３】
0003860905.tif 000004
【図４】
0003860905.tif 000005
【図５】
0003860905.tif 000006
【図６】
0003860905.tif 000007
【図７】
0003860905.tif 000008
【図８】
0003860905.tif 000009
【図９】
0003860905.tif 000010
【図１０】
0003860905.tif 000011
【図１１】
0003860905.tif 000012
【図１２】
0003860905.tif 000013
【図１３】
0003860905.tif 000014